(57)【特許請求の範囲】
【請求項１】
部屋（３０）の床面（３３）側から出入口（２０）側への水の侵入を阻止する止水装置であって、
上記出入口（２０）に配置されて順次作動する複数の戸板（２５）〜（２７）を備えた引戸（２４）の下端部に、軸方向に伸縮可能に連結された複数の止水板（１）〜（３）を略平行に配置し、
上記複数の止水板（１）〜（３）のうち、伸縮方向の一端側に位置する止水板（１）を上記複数の戸板（２５）〜（２７）のうちの固定側の戸板（２５）又は上記出入口（２０）側に固定する一方、伸縮方向の他端側に位置する止水板（３）を上記複数の戸板（２５）〜（２７）のうちの可動側最先端の戸板（２７）に固定することで、上記複数の止水板（１）〜（３）を上記複数の戸板（２５）〜（２７）の開閉動作に連動して伸縮駆動可能としたことを特徴とする止水装置。
【請求項２】
請求項１において、
上記複数の止水板（１）〜（３）が、上記戸板（２５）〜（２７）の下端部を上記床面（３３）側から覆う本体部（１ａ）〜（３ａ）と該本体部（１ａ）〜（３ａ）の下端に連続し且つ適度の弾性をもって上記床面（３３）に摺動可能に当接されるリップ部（１ｂ）〜（３ｂ）とを備えていることを特徴とする止水装置。
【発明の詳細な説明】
【０００１】
【０００２】
【発明の属する技術分野】
【０００３】
本願発明は、浴室の出入口部分の止水に供される止水装置に関するものである。
【従来の技術】
【０００４】
近年、高齢化社会の到来に対応して、例えば一般家庭においても高齢者の行動環境の改善の一環として、所謂「バリアフリー化」が広く推進されており、その一つとして、高齢者の入浴時の安全性を確保する観点から、通常、浴室床面と浴室出入口との間には水切りのために段差が設けられているところ、該浴室床面に簀の子板等の嵩上げ部材を設置し（図１を参照）、該嵩上げ部材の上面、即ち、実質的な浴室の床面と出入口の上面との高さを略同一にして、該出入口から浴室への出入りの安全性を高めることが行われている。
【発明が解決しようとする課題】
【０００５】
ところが、このように浴室床面に嵩上げ部材を設置してその上面高さを出入口の高さと略同一とした場合には、浴室への出入り時の安全性は確保されるものの、本来、「水切り」機能を果たすべく浴室の底壁と出入口との間に設けられた段差が「水切り」として機能しなくなることから、浴室で湯を使った場合、上記嵩上げ部材側から上記出入口側へ水が侵入し、場合によっては該出入口とここに設けた戸との隙間を通って水が居住空間側に漏出するというような問題が発生することが懸念される。
【０００６】
しかるに、かかる「バリアフリー化」の推進に付随して発生する水の漏出を防止するための技術に関しては未だ提案されていないというのが現状である。
【０００７】
そこで、本願発明は部屋の床面側から出入口側への水の侵入を、簡易且つ安価な構成で確実に阻止し得る止水装置を提供することを目的としてなされたものである。
【課題を解決するための手段】
【０００８】
本願発明ではかかる課題を解決するための具体的手段として次のような構成を採用している。
【０００９】
本願の第１の発明では、部屋３０の床面３３側から出入口３０側への水の侵入を阻止する止水装置において、上記出入口２０に配置されて順次作動する複数の戸板２５〜２７を備えた引戸２４の下端部に、軸方向に伸縮可能に連結された複数の止水板１〜３を略平行に配置し、上記複数の止水板１〜３のうち、伸縮方向の一端側に位置する止水板１を上記複数の戸板２５〜２７のうちの固定側の戸板２５又は上記出入口２０側に固定する一方、伸縮方向の他端側に位置する止水板３を上記複数の戸板２５〜２７のうちの可動側最先端の戸板２７に固定することで、上記複数の止水板１〜３を上記複数の戸板２５〜２７の開閉動作に連動して伸縮駆動可能としたことを特徴としている。
【００１０】
本願の第２の発明では、上記第１の発明にかかる止水装置において、上記複数の止水板１〜３が、上記戸板２５〜２７の下端部を上記床面３３側から覆う本体部１ａ〜３ａと該本体部１ａ〜３ａの下端に連続し且つ適度の弾性をもって上記床面３３に摺動可能に当接されるリップ部１ｂ〜３ｂとを備えていることを特徴としている。
【発明の効果】
【００１１】
本願発明ではかかる構成とすることにより次のような効果が得られる。
【００１２】
（ａ）  本願の第１の発明にかかる発明では、本願の第１の発明では、部屋３０の床面３３側から出入口３０側への水の侵入を阻止する止水装置において、上記出入口２０に配置されて順次作動する複数の戸板２５〜２７を備えた引戸２４の下端部に、軸方向に伸縮可能に連結された複数の止水板１〜３を略平行に配置し、上記複数の止水板１〜３のうち、伸縮方向の一端側に位置する止水板１を上記複数の戸板２５〜２７のうちの固定側の戸板２５又は上記出入口２０側に固定する一方、伸縮方向の他端側に位置する止水板３を上記複数の戸板２５〜２７のうちの可動側最先端の戸板２７に固定することで、上記複数の止水板１〜３を上記複数の戸板２５〜２７の開閉動作に連動して伸縮駆動可能としている。
【００１３】
従って、この発明の止水装置によれば、上記複数の止水板１〜３のうち、伸縮方向の一端側に位置する止水板１はこれを上記複数の戸板２５〜２７のうちの固定側の戸板２５又は上記出入口２０側に固定する一方、伸縮方向の他端側に位置する止水板３はこれを上記複数の戸板２５〜２７のうちの可動側最先端の戸板２７に固定するようにしているので、上記引戸２４を閉じると、該引戸２４の複数の戸板２５〜２７の開動作に連動して上記複数の止水板１〜３が順次伸長して該複数の戸板２５〜２７に沿って延設され、該床面３３側から上記出入口２０側への水の侵入が阻止される。
【００１４】
この結果、例えば上記部屋３０が浴室であって、且つその底壁上に簀の子板等を設置して「バリアフリー化」を図った結果、該簀の子板の上面で構成される実質的な床面３３の高さが上記出入口２０の高さと略同一となったような場合であっても、入浴に伴って飛散する水が該床面３３側から出入口２０側へ侵入し、さらにこれが該出入口２０からその外側の居住空間側へ漏出するのが確実に防止され、浴室３０の実質的な床面３３を嵩上げしたことによる浴室３０への出入り時の安全性の確保と、入浴時における外部への水の漏出防止とが同時に達成され、実用上極めて有用な効果を奏することになる。
【００１５】
また、止水装置を、伸縮可能に連結された複数の止水板１〜３で構成し且つこれらを上記引戸２４の開閉動作に連動して伸縮させるようにしているので、その構造が簡単であり、それだけ該止水装置を安価に提供できることになる。
【００１６】
さらに、上記引戸２４の開閉時における上記複数の戸板２５〜２７の順次作動に伴う移動力によって上記複数の止水板１〜３が自動的に伸縮作動され、この結果、例えば上記複数の止水板１〜３に専用の駆動手段を設けたり、あるいはこれを手動にて個別に伸縮させるような必要がなく、それだけ止水装置の低コスト化あるいは操作の簡便性が向上するものである。
【００１７】
（ｂ）  本願の第２の発明にかかる止水装置によれば、上記複数の止水板１〜３が、上記戸板２５〜２７の下端部を上記床面３３側から覆う本体部１ａ〜３ａと該本体部１ａ〜３ａの下端に連続し且つ適度の弾性をもって上記床面３３に摺動可能に当接されるリップ部１ｂ〜３ｂとを備えているので、上記床面３３に沿って流れる水は該床面３３に弾性的に当接されたリップ部１ｂ〜３ｂによって上記出入口２０側への侵入が確実に阻止され、また該床面３３に沿うことなく直接出入口２０側に飛散される水は上記本体部１ａ〜３ａによって受け止められることで該出入口２０側への侵入が確実に阻止され、これら両者の相乗効果として高い水密性が確保され、延いては上記（ａ）に記載の効果がより一層促進されることになる。
【発明の実施の形態】
【００１８】
以下、本願発明を好適な実施形態に基づいて具体的に説明する。
【００１９】
Ｉ：第１の実施形態
図１〜図３には、本願発明の第１の実施形態にかかる止水装置Ｚを、浴室３０の出入口２０部分に設置した場合の状態を示している。
【００２０】
上記浴室３０は、その一側に出入口２０が設けられるとともに、該出入口２０の左右両端にはそれぞれ柱２２，２３が設けられている。さらに、上記出入口２０の下端には引戸用の敷居２１が設けられるとともに、該敷居２１上には、三枚の戸板２５〜２７を備えてなる引戸２４が配置されている。
【００２１】
尚、上記各戸板２５〜２７は順次作動するように相互に連結されており、該各戸板２５〜２７が順次作動することで上記引戸２４が開閉されるようになっている。また、この実施形態のものでは、上記敷居２１の最も外側の敷居溝に配置される第１戸板２５は上記柱２２側に固定される一方、中央及び最も手前の敷居溝にそれぞれ配置される第２戸板２６及び第３戸板２７はそれぞれ移動可能とされている。従って、上記引戸２４の開戸状態では図１に示すように上記各戸板２５〜２７が上記敷居２１の方向に順次列設される一方、上記引戸２４の閉戸状態では図２に示すように上記各戸板２５〜２７は上記柱２２側において重合した状態とされる。
【００２２】
一方、上記浴室３０の底壁３１は上記敷居２１よりも所定寸法だけ下位に位置しており、該底壁３１から上記敷居２１側に立ち上がる段差壁面３２は、該底壁３１側から上記敷居２１側への水の侵入を阻止する「水切り」として機能するようになっている。
【００２３】
ところで、このように上記浴室３０の底壁３１と上記出入口２０に設けられた敷居２１との間に段差があると、特に高齢者にとっては浴室３０への出入り時にこの段差が障害となることから、この実施形態のものでは、上記底壁３１上に、嵩上げ部材として簀の子板４０を設置し、該簀の子板４０の上面、即ち、上記浴室３０の実質的な床面３３が上記敷居２１の上面と略同一高さとなるようにしている。尚、この簀の子板４０は、多数の板材４１，４１，・・を所定間隔をもって平面方向に並設するとともに、これら各板材４１，４１，・・をその下側に配置した複数の基材４２，４２，・・によって連結し、これらを一体化してなる。
【００２４】
ところが、このように上記浴室３０の底壁３１上に上記簀の子板４０を設置すると、上記床面３３と上記敷居２１の上面とが略同一高さとなることから、入浴時に飛散する水が該床面３３を伝って、あるいは直接飛散して上記敷居２１側に侵入し、場合によっては該敷居２１とここに配置された上記引戸２４との隙間を通って外部へ漏出することが懸念されることは既述の通りである。
【００２５】
そこで、かかる問題を防止するために、上記引戸２４の下端部に本願発明にかかる止水
装置Ｚを設置している。
【００２６】
即ち、上記止水装置Ｚは、上記各戸板２５〜２７の幅寸法と略同等の長さをもつ三枚の止水板１〜３を備えて構成される。これら各止水板１〜３は、例えば樹脂材の押出成形によって形成されるものであって、共に、図３に示すように、幅方向（設置状態における上下方向）に延びる平面状の本体部１ａ，２ａ，３ａと、該本体部１ａ，２ａ，３ａの下端に連続して手前下方に傾斜延出するとともにその厚さ方向において適度の弾性変形性をもつリップ部１ｂ，２ｂ，３ｂと、上記本体部１ａ，２ａ，３ａの上端に連続し且つその背面側においてこれと略平行に延びる支持部１ｃ，２ｃ，３ｃとを備えている。
【００２７】
さらに、これら各止水板１〜３は、上記第１止水板１の外側に上記第２止水板２が、さらにこの第２止水板２の外側に上記第３止水板３が、それぞれ嵌合し得るようにその断面寸法が順次変更設定されている。また、これら各止水板１〜３の嵌合状態においては、上記第１止水板１に突設した突条１１と上記第２止水板２に突設した突条１２とが係合するとともに、該第２止水板２に突設した突条１３と上記第３止水板３に突設した突条１４とが係合している。かかる構成とすることで、上記各止水板１〜３は、その軸方向において伸縮自在とされるとともに、その全伸縮範囲において上記各リップ部１ｂ，２ｂ，３ｂが略同一高さを維持することになる。尚、図示はしないが、上記各止水板１〜３相互間には、その伸長時における抜け止め手段が設けられていることは勿論である。
【００２８】
このように構成された上記止水装置Ｚは、図１に示すように、上記第１止水板１が上記第１戸板２５に、上記第２止水板２が上記第２戸板２６に、さらに上記第３止水板３が上記第３戸板２７に、それぞれ対応するようにして上記引戸２４の浴室３０側の面に配置される。そして、上記第１止水板１の一端を吸盤４を介して上記柱２２に固定するとともに、上記第３止水板３の長さ方向両端部をそれぞれ吸盤５，６を介して上記第３戸板２７の下端部に固定することで、上記引戸２４側に取り付けられる。また、この各止水板１〜３の上記引戸２４側への取付け高さは、図３に示すように、上記各リップ部１ｂ，２ｂ，３ｂが適度に撓曲した状態で上記床面３３（即ち、上記簀の子板４０の上面）に当接する位置に設定されている。
【００２９】
尚、この実施形態においては上記各止水板１〜３を吸盤５，６，７を用いて上記引戸２４側に固定するようにしているが、本願発明はかかる固定方法に限られるものではなく、例えばビス止め方法とか接着方法等の他の方法を適宜選択して採用できることは勿論である。また、上記第１止水板１を上記吸盤４を介して上記柱２２に固定しているが、他の実施形態においては、該第１止水板１を上記引戸２４の第１戸板２５に直接固定することもできる。
【００３０】
以上のようにして、上記引戸２４に取り付けられた上記止水装置Ｚにおいては、上記引戸２４の第３戸板２７が上記第１戸板２５に対して相対移動して該引戸２４が開閉されるとき、この開閉力によって自動的に伸縮され、図１に示す閉戸状態と図２に示す開戸状態とに選択的に姿勢設定される。
【００３１】
そして、これら両状態への移行時には上記各止水板１〜３のリップ部１ｂ，２ｂ，３ｂは上記床面３３に当接したまま摺動するとともに、上記両状態に設定された状態では該各リップ部１ｂ，２ｂ，３ｂはそれぞれ上記床面３３に当接し該床面３３との間の水密性を
確保する。
【００３２】
従って、上記浴室３０内において水が使用される入浴時には、上記引戸２４を閉戸し、該引戸２４の下端前面に上記止水装置Ｚの各止水板１〜３を列設させることで、該浴室３０内で使用された水が上記床面３３を伝って、あるいは該床面３３を伝うことなく直接出入口２０側へ飛散する場合、該床面３３を伝って流れる水は上記各止水板１〜３のリップ部１ｂ，２ｂ，３ｂにおいて阻止され、また直接飛散する水は上記各止水板１〜３の本体部１ａ，２ａ，３ａとの衝突によって阻止される。
【００３３】
これら両者の相乗作用として、上記床面３３側から上記出入口２０側への水の侵入、さらにこの水が上記出入口２０の敷居２１とこれに配置された上記引戸２４との隙間を通って外部へ漏出するのが確実に防止される。即ち、上記止水装置Ｚを配置することで、上記浴室３０の底壁３１上に上記簀の子板４０を設置して床面の嵩上げを行ったことによる効果（即ち、浴室３０への出入り時の安全性の向上）を維持しつつ、浴室３０の出入口２０部分における水密性を確保できるものである。
【００３４】
また一方、この実施形態のものにおいては、上記複数の止水板１〜３のうち、固定側の第１止水板１はこれを上記出入口２０側に固定する一方、可動側の第３止水板３はこれを上記引戸２４の可動側最先端の第３戸板２７に固定するようにしているので、上記引戸２４の開閉時における上記各戸板２５〜２７の順次作動に伴う移動力によって上記各止水板１〜３が自動的に伸縮作動される。この結果、例えば上記各止水板１〜３の伸縮用に専用の駆動手段を設けたり、あるいはこれを手動にて個別に伸縮させるような必要がなく、それだけ止水装置の低コスト化あるいは操作の簡便性が向上することになる。
【００３５】
尚、この実施形態においては、上記浴室３０の底壁３１上に上記簀の子板４０を設置して床面の嵩上げを行ったものに上記各止水板１〜３を配置して止水を行うようにしたものを一例として説明したが、本願発明の止水装置Ｚは、かかる浴室構造をもつもののみに適用できるものではなく、例えば当初から浴室３０の底壁３１とその出入口２０の高さとが略同一に設定されているような構造（即ち、簀の子板４０の設置による嵩上げを必要としない構造）のものにも適用できるものである。
【００３６】
また、上記実施形態においては、上記引戸２４が三つの戸板２５〜２７で構成されていることに対応させて、該引戸２４に取り付けられる上記止水装置Ｚを三つの止水板１〜３で構成したが、本願発明はかかる構成に限定されるものではなく、該止水装置Ｚを構成する止水板の数は、必要に応じて適宜選択設定できるものである。
【００３７】
ＩＩ：第２の実施形態
図４には、本願発明の第２の実施形態にかかる止水装置Ｚを浴室３０の出入口２０部分に設置した状態を示している。この実施形態の止水装置Ｚは、上記第１の実施形態の止水装置Ｚと同一であって、これが異なる点は、該止水装置Ｚが取り付けられる上記引戸２４の構造にある。
【００３８】
即ち、上記第１の実施形態における引戸２４では、その各戸板２５〜２７のうち、固定側の第１戸板２５が最も上記浴室３０から遠い位置に配置され、その内側に可動側の第２戸板２６及び第３戸板２７がそれぞれ位置していたのに対して、この実施形態における引戸２４においては固定側の第１戸板２５が最も上記浴室３０に近い位置に配置され、該第１戸板２５の外側に可動側の第２戸板２６及び第３戸板２７がそれぞれ位置している。
【００３９】
そして、このような上記引戸２４の構造に対応して、この実施形態においては、上記止水装置Ｚの各止水板１〜３のうち、上記第１戸板２５に対応する第１止水板１の一端はこれを吸盤４を介して上記柱２２に固定するものの、上記第３戸板２７に対応する上記第３止水板３は、該第３戸板２７が上記第２戸板２６の外側に位置することから該第３戸板２７に対する固定位置を該第３戸板２７の前端寄り部位のみとするとともに、該第３止水板３と上記第３戸板２７との間隔が大きいことから固定用の吸盤６を、軸長調整可能なステー部材７を介して取り付けている。
【００４０】
この実施形態の止水装置Ｚにおいては、上述の如き上記引戸２４側の構造の相違、及びこれに対応する上記各止水板１〜３の固定構造の相違に拘わらず、上記第１の実施形態の止水装置Ｚと同様の作用効果が得られることは勿論である。
【図面の簡単な説明】
【図１】本願発明の第１の実施形態にかかる止水装置の使用時状態を示す斜視図である。
【図２】図１に示した止水装置の非使用時状態を示す斜視図である。
【図３】図１のＩＩＩ−ＩＩＩ拡大断面図である。
【図４】本願発明の第２の実施形態にかかる止水装置の使用時状態を示す斜視図である。
【符号の説明】
１〜３は止水板、４〜６は吸盤、７はステー部材、１１〜１４は突条、２０は出入口、２１は敷居、２２及び２３は柱、２４は引戸、２５〜２７は戸板、３０は浴室（部屋）、３１は底壁、３２は段差壁面、３３は床面、４０は簀の子板、４１は板材、４２は基材、Ｚは止水装置である。
【図１】
0003553533.tif 000002
【図２】
0003553533.tif 000003
【図３】
0003553533.tif 000004
【図４】
0003553533.tif 000005